(57)【特許請求の範囲】
【請求項１】
バルブステムが開状態に保持されるように容器に取り付けるのに適したインレット端部を含む電磁弁と、
円筒状の壁と、前記円筒状の壁の内部に搭載されたポストを含み、その間に環状の通路を規定するフローアダプタと、を含み、
前記フローアダプタのインレット端部は前記電磁弁のアウトレット端部に密封して取り付けられ、前記フローアダプタは前記環状の通路に内部に散布機挿入部を受けるように適合される供給システム。
【請求項２】
前記フローアダプタは前記電磁弁の前記アウトレット端部に取り外し可能に取り付けられる請求項１の供給システム。
【請求項３】
前記フローアダプタの前記インレット端部と前記電磁弁の前記アウトレット端部との間にＯ−リングが配置される請求項１の供給システム。
【請求項４】
前記電磁弁の前記アウトレット端部は前記電磁弁のボビンに取り付けられた環状のフェースプレートを含み、前記環状のフェースプレートと前記ボビンとの間に第二のＯ−リングが配置される請求項３の供給システム。
【請求項５】
前記電磁弁は通常は閉じている請求項１の供給システム。
【請求項６】
前記電磁弁は、インレット端部とアウトレット端部にインレットリセスとアウトレットリセスをそれぞれ有する電機子を含み、前記アウトレットリセスはスプリングを収容し、前記インレットリセスにはバルブシートが配置される請求項５の供給システム。
【請求項７】
前記電磁弁のボビンのインレット端部を通して配置されるインレットポートは前記容器のバルブステムと前記バルブシートとの間に流体連通を提供し、前記インレットポートは隆起した環状の面によって取り囲まれ、前記バルブシートは前記電磁弁が閉じられたとき前記環状の面に対して密封を形成する請求項６の供給システム。
【請求項８】
前記電磁弁が開かれると、流体連通が、前記インレットポートから前記電磁弁のアウトレット端部を貫通して配置されたアウトレットポートへと、前記電機子と前記ボビンの壁との間の空間を介して提供される請求項７の供給システム。
【請求項９】
バルブステムが開状態に保持されるように容器に取り付けるのに適したインレット端部を含む電磁弁と、
円筒状の壁と、前記円筒状の壁内に搭載されたポストを含み、その間に環状の通路を規定するフローアダプタと、
端壁とそこから延長する円筒状のスカートを含む散布機挿入部とを含み、
前記端壁を貫通して開口が配置され、前記フローアダプタのインレット端部は前記電磁弁のアウトレット端部に取り外し可能かつ密封して取り付けられ、前記フローアダプタは前記散布機挿入部の前記円筒状のスカートを前記環状の通路の内部に取り付けるために受ける供給システム。
【請求項１０】
前記散布機挿入部の前記スカートの外側表面は、前記環状の通路の外側表面に取り外し可能に取り付けられる請求項９の供給システム。
【請求項１１】
前記端壁を貫通して配置される開口は前記端壁の内側表面のリセス内に配置され、前記端壁の内側表面に溝がさらに配置され、前記散布機挿入部が前記フローアダプタに取り付けられたときに、前記溝は前記環状の通路と前記リセスとの間に流体連通を提供する請求項１０の供給システム。
【請求項１２】
溝前記は前記リセスの周に対して概ね接線方向に前記リセスを入れる請求項１１の供給システム。
【請求項１３】
バルブステムが開状態に保持されるように容器に取付けるのに適したインレット端部を含む電磁弁と、
円筒状の壁と、前記円筒状の壁内に搭載されたポストを含み、その間に環状の通路を規定するフローアダプタと、
端壁とそこから延長する円筒状のスカートを含む散布機挿入部とを含み、
前記端壁はそれを貫通して配置された開口とその内側表面に配置された溝とを含み、前記フローアダプタのインレット端部は前記電磁弁のアウトレット端部に密封して取り付けられ、前記フローアダプタは前記環状の通路の内部に取り付けるために前記散布機挿入部の前記円筒状のスカートを受け、前記散布機挿入部が前記フローアダプタに取り付けられたときに、前記溝は前記環状の通路と前記開口との間に流体連通を提供する供給システム。
【請求項１４】
前記フローアダプタは前記電磁弁の前記アウトレット端部に取り外し可能に取り付けられる請求項１３の供給システム。
【請求項１５】
前記散布機挿入部の前記スカートの外側表面は、前記環状の通路の外側表面に取り外し可能に取り付けられる請求項１３の供給システム。
【請求項１６】
前記端壁は、その内側表面に配置され、前記開口と流体連通する２つあるいはそれ以上の溝を含む請求項１３の供給システム。
【請求項１７】
前記２つあるいはそれ以上の溝の少なくとも１つは、そのインレット端部とアウトレット端部との間で変動する断面積を有する請求項１６の供給システム。
【請求項１８】
前記少なくとも１つの溝は第一の側壁から前記溝へと延びる突起を含む請求項１７の供給システム。
【請求項１９】
前記少なくとも１つの溝は、更に、前記突起の下流に配置され、前記断面積が減るように前記溝へと湾曲する第二の側壁の部分を含む請求項１８の供給システム。
【請求項２０】
前記端壁の内側表面にリセスが配置され、前記リセスは前記開口を取り巻き、前記２つあるいはそれ以上の溝のアウトレット端部と流体連通する請求項１６の供給システム。
【発明の詳細な説明】
【技術分野】
【０００１】
本発明は一般的には揮発性物質を容器から放出するための供給システム、より詳細には揮発性物質をエアロゾル容器から放出するための内部に可変形状の散布機挿入部を受けるように適合化された可変形状のフローアダプタを含む標準の電磁弁システムに関する。
【背景技術】
【０００２】
エアロゾル容器は多様な可能な揮発性物質、例えば、空気清浄剤、脱臭剤、殺虫剤、殺菌剤、充血除去剤、香水その他を保存および供給するために一般に使用される。揮発性物質は圧縮下で保存され、エアロゾル容器上の放出バルブが揮発性物質の放出を制御する。放出バルブは、揮発性物質がここを通って流れるバルブステムを作動することで作動される。放出バルブの作動は、自動システム、例えば制御回路および電源に取り付けられたソレノイドによって達成される。
【発明の概要】
【発明が解決しようとする課題】
【０００３】
多数の揮発性物質が存在し、これらは異なる流体特性、例えば、揮発度、粘性、表面張力を有し、あるいは流体揮発性物質の他の特性も異なるかもしれない。従って、各々の可能性のある揮発性物質は、最適な供給のためには、異なる供給システムの形状から恩恵を受ける。しかしながら、各タイプの揮発性物質の最適な供給のためにカスタマイズされた電磁弁を含む供給システムは、非常に高価である。現在、一つの解決手段が提供されており、これは多様な安価に生産可能な可変形状の散布機挿入部を受けるように適合された交換可能な一つあるいは複数の安価に生産可能な可変形状のアダプタを含む標準化された電磁弁を含む。
【課題を解決するための手段】
【０００４】
本発明の一実施形態によると、供給システムは、容器に、そのバルブステムが開状態に保持されるように取り付けるように適合したインレット端部を含む電磁弁を含む。フローアダプタは、円筒状の壁と、この円筒状の壁内に搭載され、これらの間に環状の通路を規定するポストとを含む。フローアダプタのインレット端部は電磁弁のアウトレット端部に密封して取り付けられ、フローアダプタは散布機挿入部を環状の通路内に受けるように適合される。
【０００５】
本発明の一実施形態によると、供給システムは、容器に、バルブステムが開状態に保持されるように取付けられるように適合したインレット端部を含む電磁弁を含む。フローアダプタは、円筒状の壁と、この円筒状の壁内に搭載され、これらの間に環状の通路を規定するポストとを含む。散布機挿入部は端壁とそこから延長する円筒状のスカートを含み、この端壁を貫通して開口が配置される。フローアダプタのインレット端部は電磁弁のアウトレット端部に取り外し可能かつ密封して取り付けされ、フローアダプタは散布機挿入部の円筒状のスカートを環状の通路内に取り付けるように受ける。
【０００６】
本発明のさらにもう一つの実施形態によると、供給システムは、容器に、バルブステムが開状態に保持されるように取付けられるように適合したインレット端部を含む電磁弁を含む。フローアダプタは、円筒状の壁と、この円筒状の壁内に搭載され、これらの間に環状の通路を形成するポストとを含む。散布機挿入部は端壁とそこから延長する円筒状のスカートを含み、この端壁はそれを貫通して配置された開口とその内側表面内に配置された溝とを含む。フローアダプタのインレット端部は電磁弁のアウトレット端部に密封して取り付けられ、フローアダプタは散布機挿入部の円筒状のスカートを、環状の通路内に取り付けるように受ける。溝は、散布機挿入部がフローアダプタに取り付けられたときに、環状の通路と開口との間に流体連通を提供する。
【発明の効果】
【０００７】
エアロゾルディスペンサは、一般に、エアロゾル容器内に蓄えられている多様な揮発性の物質、例えば、空気清浄剤、脱臭剤、殺虫剤、殺菌剤、充血除去剤、香水その他を供給するために用いられる。エアロゾル容器のための自動バルブ作動システムは、その中身を人の介在なしに、例えば、所定の時間スケジュールに従って放出することを可能にする。多様な揮発性物質は、各々、特定のバルブ形状で最適に供給することができる。一つあるいは複数の可変形状のフローアダプタを含む標準の電磁弁が提供され、各アダプタはその標準の電磁弁の端に取り付けられるように適合化されている。各アダプタは、その中に可変形状の散布機挿入部を挿入できるように適合化された環状の通路を規定するポスト及び樽構造を含む。可変形状の散布機挿入部は、多様な流体および用途に対して安価に製造することができ、標準の電磁弁、および各々の多様な流体を最適に供給するのに適した可変形状のフローアダプタと共に使用することができる。
【図面の簡単な説明】
【０００８】
【図１】一つのタイプのエアロゾル容器の等角投影図である。
【図２】図１のエアロゾル容器の一つのタイプのエアロゾルバルブの断面図である。
【図３】一実施形態の供給システムの側面図である。
【図４】図３の供給システムの平面図である。
【図５】概ね図４の線５−５に沿って切断された図３の供給システムを、非作動状態のエアロゾル容器の上端と組み合わせた断面図である。
【図６】作動状態で示す図５の供給システムの断面図である。
【図７】図５に示したものと類似のもう一つの実施形態による供給システムの概ね図４の線５−５に沿って切断した断面を、エアロゾル容器の異なる上端と組み合わせた断面図である。
【図８】一実施形態の散布機挿入部の底面図である。
【図９】図８の散布機挿入部の、概ね図８の線９−９に沿って切断した断面図である。
【図１０】図５に示した供給システムと、これに取り付けた図８の散布機挿入部の、概ね図４の線５−５に沿って切断した、明確にする目的で断面の背後の部分除去した拡大した断面図である。
【図１１Ａ】異なる実施形態による散布機挿入部の底面図である。
【図１１Ｂ】異なる実施形態による散布機挿入部の底面図である。
【図１１Ｃ】異なる実施形態による散布機挿入部の底面図である。
【図１１Ｄ】異なる実施形態による散布機挿入部の底面図である。
【図１１Ｅ】異なる実施形態による散布機挿入部の底面図である。
【図１１Ｆ】異なる実施形態による散布機挿入部の底面図である。
【図１２】もう一つの実施形態による散布機挿入部の底面図である。
【図１３Ａ】さらなる実施形態による散布機挿入部の底面図である。
【図１３Ｂ】さらなる実施形態による散布機挿入部の底面図である。
【図１３Ｃ】さらなる実施形態による散布機挿入部の底面図である。
【図１３Ｄ】さらなる実施形態による散布機挿入部の底面図である。
【図１３Ｅ】さらなる実施形態による散布機挿入部の底面図である。
【図１３Ｆ】さらなる実施形態による散布機挿入部の底面図である。
【図１３Ｇ】さらなる実施形態による散布機挿入部の底面図である。
【発明を実施するための形態】
【０００９】
関連出願の相互参照
適用せず
【００１０】
連邦政府による委託研究もしくは開発に関する参照
適用せず
【００１１】
順序リスト
適用なし  
【００１２】
本発明の他の特徴および長所が以下の詳細な説明を読むことで明らかになる。ここで同様の構造は同様の参照符号を有する。
【００１３】
図１および図２は、当分野において周知の一つのタイプのエアロゾル容器２０を示す。エアロゾル容器２０は主部２２と、この上端２６に開口２４を備える。搭載キャップ２８が、主部２２の上端２６を密封するために容器２０の開口２４にかしめられる。搭載キャップは、形状は概ね円形で、クリンピングの領域に隣接して搭載キャップ２８の底部３２から上方に延長する外壁３０を含む。台座３４も底部３２の中央部分から上方に延長する。バルブアセンブリ３５は、バルブステム３６と、バルブの主部３７と、バルブスプリング３８を含む。バルブステム３６は台座３４を貫通して延長し、ここで遠位端３９は台座３４から離れた上方に延び、近位端４０はバルブの主部３７内に配置される。バルブの主部３７は搭載キャップ２８の内側４４内に固定される。ディップチューブ４６がバルブの主部３７に取り付けられてもよい。ディップチューブ４６は容器２０の主部２２の内部へと下方に向かって延長する。ボタンもしくは他のアクチュエータ（図示せず）がバルブステム３６の遠位端３９上に組み立てられる。ユーザは、バルブアセンブリ３５を開くために、このボタンもしくは他のアクチュエータを押し下げる。バルブアセンブリ３５が開かれると、容器の内側と大気との間の圧力差によって、容器２０の中身がバルブステム３６の穴５０と、ボタンもしくは他のアクチュエータの出口穴（図示せず）を通って外に押し出される。本開示は本出願人の発明をエアロゾル容器２０と類似するエアロゾル容器と関連付けて説明するが、本発明は当業者において知られているあらゆるタイプのエアロゾル容器と実施してもよい。
【００１４】
図３から５は電磁弁１０２とフローアダプタ１０４を含む一実施形態の供給システム１００を示す。電磁弁１０２はソレノイドコイル１０６を含み、これはボビン１０８のまわりに巻き付けられる。ソレノイドコイル１０６は、好ましくは、ワイヤーから作られ、これは銅線もしくは当業者において周知の任意の他のワイヤーであり得る。ボビン１０８は、好ましくは、非磁性の熱可塑性物質、例えば、ポリプロピレン、ナイロン、もしくは任意の他の熱可塑性物質から作られる。絶縁テープ１１０がソレノイドコイル１０６の周囲に提供されるが、これは任意のタイプの非電導性テープであってもよい。
【００１５】
金属電機子１１２がボビン１０８内にはめ込まれ、ボビン１０８の縦軸１１４に沿って自由に動く。金属電機子１１２は、金属、例えば、ＳＵＳ４１６ステンレス鋼、もしくは当業者においてソレノイド電機子として利用するために周知の任意の他の金属から作られる。金属電機子１１２は、このインレット端部１１８内にインレットリセス１１６を、このアウトレット端部１２２内にアウトレットリセス１２０を含む。金属電機子１１２とボビン１０８との間のギャップもしくはスペース（図示ぜず）は、流体が金属電機子１１２のまわりをそのインレット端部１１８からアウトレット端部１２２へと流れることを許容する。密封バルブシート１２４がインレットリセス１１６内に搭載され、スプリング１２６がアウトレットリセス１２０内に搭載される。スプリング１２６は、金属、例えば、ＳＵＳ３０４ステンレス鋼などのスプリング鋼から作られる。
【００１６】
インレットポート１２８がボビン１０８のインレット端部１３０内に提供され、隆起した環状の面１３２によって取り巻かれる。フェースプレート１３４がボビン１０８のアウトレット端部１３６に取り付けられる。Ｏ−リング１３８がフェースプレート１３４とボビン１０８のアウトレット端部１３６の間に配置され、これらの間の流体密封が提供される。Ｏ−リング１３８（および密封シート１２４）は、好ましくは、当業者において周知の密封材、例えば、ニトリルゴムを含む。アウトレットポート１４０がフェースプレート１３４内のアウトレットリセス１２０の反対側に提供される。
【００１７】
図５を参照すると、供給システム１００が非作動状態で示されている。ソレノイドコイル１０６に電圧を加えられていないときは、スプリング１２６が密封バルブシート１２４を隆起した環状の面１３２に対して押しつけ、これらの間に密封を形成する。ソレノイドコイル１０６に電圧を加えられると（図６参照）、電機子１１２が磁気的にアウトレットポート１４０に向かって押され、スプリング１２６が圧縮され、インレットポート１２８のところで密封バルブシート１２４と隆起した環状の面１３２との間の密封が開かれる。フレーム１４２は内側に向かって延長する環状の端壁１４４と概ね円筒状のスカート１４６を含む。フレーム１４２はボビン１０８の周囲に取り付けられ、フェースプレート１３４をボビン１０８のアウトレット端部１３６に対して密封して保持するための構造的な強度を提供する。フレーム１４２およびフェースプレート１３４は、好ましくは、ソレノイドコイル１０６により生成される磁束をフレーム内に集中させることができる金属から作られ、例えば、ＳＰＣＣ冷間還元炭素鋼板が利用できる。フローアダプタ１０４が電磁弁１０２のアウトレット端部１４８に取り外し可能に取り付けられる。Ｏ−リング１５０がフローアダプタ１０４と電磁弁１０２のアウトレット端部１４８との間に配置され、これらの間の流体密封を提供する。
【００１８】
フローアダプタ１０４は端壁１５２を含み、ここから円筒状の壁１５４がぶら下がる。ポスト１５６が円筒状の壁１５４内に、例えば中間壁１５８を介して搭載される。環状の通路１６０がポスト１５６と円筒状の壁１５４との間に形成される。供給穴１５９は中間壁１５８のインレット側と環状の通路１６０との間に流体連通を提供する。ポスト１５６のアウトレット端１６２は円筒状の壁１５４のアウトレット端部１６４を越えて延長する。環状の通路１６０は内側表面１６６と外側表面１６８を含み、環状の壁１５４は外側表面１７０を含む。フローアダプタ１０４は電磁弁１０２に当業者に周知の取付け方法で取り外し可能に取り付けられる。本実施形態においては、フローアダプタはフレーム１４２内にスナップフィットされる。具体的には、リブ１７２が端壁１５２の周を取り囲み、溝１７４がフレーム１４２の内側表面１７６を取り囲む。フローアダプタ１０４が軸方向に下方にフレーム１４２に向かって押されると、リブ１７２が溝１７２内に固定され、Ｏ−リング１５０が圧縮され、フローアダプタ１０４と電磁弁１０２のアウトレット端部１４８との間に密封が提供される。
【００１９】
電磁弁１０４はさらにボビン１０８の外側表面１８０のまわりにそのインレット端部１３０に近接して配置された外周溝１７８を含む。密封ワッシャ１８２がボビンのインレット端部１３０内に圧入される。密封ワッシャ１８２は密封材、例えば、ニトリルゴムから作られ、インレットポート１２８と位置を合わせた開口１８４を含む。
【００２０】
ここに説明されているように、フローアダプタ１０４の利用は、標準の電磁弁１０２を任意の様々な異なる流体と共に用いることを意図する。供給システム１００は、様々なフローアダプタから選択された特定のタイプのフローアダプタ１０４を取り付けることで、特定の流体もしくは特定の用途に対してカスタマイズすることができる。例えば、環状の通路１６０の大きさは、特定の用途に用いるため、拡大あるは縮小することができる。フローアダプタ１０４は、電磁弁１０２と比較して、設計および製造が比較的安価であり、例えば、熱可塑性の材料を射出成形することで大量生産してもよい。安価に製造でき、かつカスタマイズ可能なフローアダプタを、専用の撒布機挿入部および標準の電磁弁とつないで用いることで、様々な製品を低い生産コストでの効果的な供給に柔軟性を与える。
【００２１】
ボビン１０８のインレット端１３０は、バルブステムが開状態（図６参照）に保持されるように、容器２０（図１および２を参照）に類似する容器に取り付けられるように適合されている。図５および６を例示的に参照すると、一実施形態の容器１８６は、容器１８６の端１９０から突き出るバルブステム１８８を含む。スカート１９２が端１９０から離れて突き出し、バルブステム１８８を取り巻く。スカート１９２の遠位端１９６で内側に突き出るリップ１９４は、密封ワッシャ１８２がバルブステム１８８の周囲に密封的に取り付けられたとき、溝１７８内にパチッとはまるような寸法と配置にしてもよい。このような取り付け方は、同時に密封ワッシャ１８２の面１９８をバルブステム１８８の遠位端２００に対して押しつけ、バルブステム１８８を容器１８６に向かって押し付け、これを開状態にする。こうして、リップ１９４が、供給システム１００を容器１８６に取り付け、バルブステム１８８が開状態に維持するために、溝１７８内にパチッとはまる。
【００２２】
図７に示されているもう一つの実施形態の供給システム３００は、図３から６に関して上で説明した供給システム１００と類似するが、以下の点が異なる。図７を参照すると、供給システム３００は電磁弁３０２と、取り外し可能に取り付け可能なフローアダプタ３０４を含む。電磁弁３０２は縦方向に密封ワッシャ１８２を越えて突き出る円筒状のスカート３０６を含む。円筒状のスカート３０６の遠位端３０８は内側に向かってぶら下がる環状のリップ３１０を含む。一実施形態の容器３８６はその端３９０から突き出るバルブステム１８８を含む。スカート３９２が端３９０から離れて突き出し、バルブステム１８８を取り巻く。供給システム３００が容器３８６に向かって押しつけられると、スカート３９２の遠位端３９６のところの外方向に突き出る環状のリップ３９４と内側に向かってぶら下がる環状のリップ３１０とは、供給システム３００に容器３８６を取り付けるために、お互いを通してパチッとはまるような大きさと配置にする。このような取り付けは、さらに密封ワッシャ１８２の面１９８がバルブステム１８８の遠位端２００に対して押しつけられ、バルブステム１８８が容器１８６に向かって押され、開状態にされる。こうして、外方向に突き出る環状のリップ３９４と内側に向かってぶら下がる環状のリップ３１０とが互いに通過してパチッとはまり、供給システム３００を容器３８６に取り付け、バルブステム１８８を開状態に保持する。
【００２３】
図８と９を参照すると、一実施形態の散布機挿入部４００が示され、これは端壁４０２とここから延長する円筒状のスカート４０４を含む。端壁４０２の内側面表４０８内にはリセス４０６が提供される。開口４１０が端壁４０２内を貫通して延長する。端壁４０２の内側表面４０８はさらに溝４１２を含み、これはリセス４０６から円筒状のスカート４０４の内側表面４１４へと達する。
【００２４】
図１０を参照すると、散布機挿入部はフローアダプタ、例えばフローアダプタ１０４に、円筒状のスカート４０４を環状の通路１６０内に圧入することで取り外し可能に取り付けてもよい。円筒状のスカート４０４の外側表面４１６は、環状の通路１６０の外側表面１６８に対する摩擦接触で保持される。また、散布機挿入部４００は内側表面４１４から離れて延長する一つもしくは複数のステップ４１５を含む。ステップ４１５は、散布機挿入部４００をフローアダプタ１０４内に正確に収め、中央に保つのを補助するために、面１６６でポスト１５６と接線方向に係合する面４１７を提供する。面４１７は図８、１１Ａ、１１Ｅ、および１３Ａ〜１３Ｇに示されるような真っ直ぐな面であってもよく、あるいは図１１Ｂ〜１１Ｄ、１１Ｆおよび１２に示されるような湾曲した面であっても良い。
【００２５】
散布機挿入部４００がフローアダプタ１０４に挿入されると、リセス４０６を取り巻く内側面４０８の中央部分とポスト１５６のアウトレット端部１６２との接触は、内側表面４０８の中央部分とリセス４０６を環状の通路１６０との流体連通から、溝４１２を除いて、遮断する。電磁弁１０２を通過する流体はインレットポート１２８からアウトレットポート１４０へと、電機子１１２とボビン１０８の壁との間のスペースを介して通過する。流体はアウトレットポート１４０から出て環状の通路１６０を通過し、溝４１２へと向かう。流体は、開口４１０を通って散布機挿入部４００から出る前に、溝４１２を通過し、リセス４０６にでる。
【００２６】
図８および９に関して上で説明した散布機挿入部４００は、リセス４０６は概ね円形であり、リセス４０６の周に対して概ね接線方向にリセス４０６を入れる溝４１２示す。しかしながら、散布機挿入部分４００は、リセス４０６および溝４１２についての様々な可能な形状のたった一つの例示に過ぎない。散布機挿入部の他の実施形態（例えば、図１２参照）は、開口４１０に供給する１つの（もしくは複数の）溝６０２〜６１０を含み、これに加えてリセスを含むことはない。また、一つもしくは複数の溝６０２〜６１０は、真っ直ぐもしくは平行ではない側壁を含み、溝の断面積をそのインレット端部とアウトレット端部との間で変化させることも、あるいは第一の側壁から溝内へと延びる突起を含み、このまわりでは乱流が生じるように流れが分離してもよい。
【００２７】
図１１Ａ〜１１Ｆを参照すると、各々が中央のリセスを有する複数の散布機挿入部が示されている。溝は概ね円形のリセス４０６に、リセス４０６の周囲に対して任意の角度で、リセス４０６の周囲に対して概ね接線方向から概ね直角方向を含む間の角度で入ってもよい。例えば、図１１Ａの散布機挿入部４５０に示されるように、溝４１８はリセス４０６に、その周囲に対して概ね直角に入る。散布機挿入部の他の実施形態においては、円筒状のスカート４０４の内側表面４１４からリセス４０６へと向かう２つあるいはそれ以上の溝が存在してもよい。例えば、図１１Ｂに示されるように、撒布機挿入部４６０の実施形態においては、２つの溝４２０、４２２が、その周に対して概ね接線方向で各々リセス４０６に入る。図１１Ｃのもう一つの例に示すように、一実施形態の散布機挿入部４７０は、その周囲に対して概ね接線方向にリセス４０６を入れる第一の溝４２４と、その周囲に対して概ね直角にリセス４０６を入れる第二の溝４２６を含む。
【００２８】
リセス４０６の形状、入る角度、およびリセス４０６に入る溝の数を調整することは、特定の流体あるいは散布の用途に対して要求される渦および／あるいは混合パターンを選択することが可能になる。図１１Ｄは、各溝が概ね円形のリセス４０６をその周囲に対して接線方向に入れる３つの溝４２８、４３０、および４３２を含むもう一つの実施形態の散布機挿入部４８０を示す。溝４２８、４３０および４３２は各々リセス４０６に反時計回りに入りのように示されているが、しかしながら、溝４２８、４３０および４３２の一つもしくは複数は、残りの一つもしくは複数の溝とは反対にリセス４０６に時計回り（図示せず）に入り、リセス４０６内での混合を促進させてもよい。
【００２９】
リセス４０６は、上では概ね円形の形状を有するものとして示されたが、しかしながら、開口４１０を通って出る流体の散布に渦、乱流、混合もしくは他の効果を促すのに望ましい任意の形状を利用してもよい。例えば、リセス４０６は多角形、例えば、三角形、四角形、五角形、六角形、七角形、八角形等であっても良く、ここでこのリセスは辺の数をさらに増加させて行くと最終的には概ね円形の形状に接近する。図１１Ｅは、概ね矩形（正方形は矩形であると理解される）のリセス４９６を含む一実施形態の散布機挿入部４９０を示す。４つの溝４３４、４３６、４３８、および４４０は各々リセス４９６にその周囲に対して直角に入る。図１１Ｆに示されるように、さらにもう一つの実施形態による散布機挿入部分５００は４つの溝４４２、４４４、４４６、および４４８が、各々概ね矩形のリセス４９６をその周囲に対して接線方向に入れる。
【００３０】
図１２に示される、さらなる実施形態の散布機６００は、５つの溝６０２、６０４、６０６、６０８、および６１０を含み、中央のリセス４０９、４９６は含まない。本実施形態においては、溝６０２、６０４、６０６、６０８、６１０の出口端部は開口４１０を供給し、これら溝の一つから出る流体は、開口４１０を通って出る前に、任意の他の溝から出る流体と直接相互作用してもよい。散布機挿入部分６００のような散布機挿入部は、特定の用途によって所望のまたは要求される６つもしくはそれ以上の溝を有するように製造することもできる。事実、ある散布機挿入部内に設けられる溝の実際の数は、製造上の問題および挿入部の大きさによってのみ制限される。
【００３１】
ここで図１３Ａ〜１３Ｇを参照すると、散布機挿入部の複数の実施形態が示され、各々が真っ直ぐもしくは平行ではない側壁によって規定される一つもしくは複数の溝を有する。例えば、図１３Ａに示されるように、散布機挿入部６２０は４つの溝６２２を含み、各々は、その出口端６２６の近傍において溝６２２内へと曲がる側壁の部分６２４を有する。散布機挿入部６２０はリセス４０６、４９６を有さない。図１３Ｂを参照すると、もう一つの実施形態の散布機挿入部６３０は、図１３Ａに関して説明された散布機挿入部６２０と類似するが、散布機挿入部６３０は４つの溝６３２を含み、各々がその出口端部６３６の近傍に、そこへと延びる概ね矩形の突起６３４を含む点が異なる。本実施形態は概ね矩形のリセス４９６を有する。図１３Ｃを参照すると、もう一つの実施形態の散布機挿入部４６０は、図１３Ｂに関して説明された散布機挿入部６３０と類似するが、散布機挿入部４６０が４つの溝６４２を含み、各々が鋭い内側の角６４６を有し、その出口端部６４８の近傍に溝６４２内へと延びる概ね矩形の突起６４４を含む点が異なる。さらにもう一つの実施形態の散布機挿入部６５０は、図１３Ｄに示されるように、一つのリセス４９６と４つの溝６５２を含み、各溝はその出口端部６５６の近傍に溝６５２内へと曲がる側壁の部分６５４を含む。
【００３２】
図１３Ｅを参照すると、もう一つの実施形態の散布機挿入部６６０は、図１３に関して説明された散布機挿入部６４０と類似するが、散布機挿入部６６０は４つの溝６６２を含み、各々はその出口端部６６６の近傍で、その中へと延びる概ね半円形の突起６６４を含む点が異なる。図１３Ｆは、図１３Ｅに関して説明された散布機挿入部６６０と類似するさらにもう一つの実施形態の散布機挿入部６７０を示し、散布機挿入部６７０が概ね円形のリセス４０６を有する点で異なる。図１３Ｇに示されているように、もう一つの実施形態の散布機６８０は、４つの溝６８２を含み、各々は第一の側壁６８５から溝６８２内へと延びる突起６８４を含む。各溝６８２はさらに突起６８４より下流に配置され、断面積を減少させるように溝６８２内へと湾曲する第二の反対側の側壁６８７の部分６８６を含む。
【００３３】
上で説明されたような散布機挿入部分、例えば、４００、４５０、４６０、４７０、４８０、４９０、５００、６００、６２０、６３０、６４０、６５０、６６０、６７０および６８０のいずれも、熱可塑性物質、例えば、ポリプロピレン、ナイロン、あるいは当業者に周知の他の熱可塑性物質を射出成形することで安価に製造してもよい。取り外し可能に取り付けることができる散布機挿入部と、標準の電磁弁１０２、３０２につないだ取り外し可能に取り付けることができるフローアダプタ１０４、３０４とを共に含む供給システムは、このような供給システムを多様な異なる流体および散布の用途で用いるための大きな柔軟性を与え、生産コストを低減した、より大きな経済的利益をもたらす。
【００３４】
ここに説明された実施形態のいずれもが、異なる実施形態との関連で開示された構造あるいは方法のいずれかを含むように変更することができる。さらに、本発明はここに具体的に説明されたタイプの容器、あるいは、ここで具体的に説明された容器を供給手段に、フローアダプタを電磁弁に、あるいは散布機挿入部をフローアダプタに取り付ける方法に限定されるものではない。更に、ここに説明された任意の実施形態における容器への接続方法は、チルト作動式バルブステムを有するあらゆるタイプの流体容器と共に機能するように変更してもよい。
【産業上の利用可能性】
【００３５】
エアロゾルディスペンサは、一般に、エアロゾル容器内に蓄えられている多様な揮発性の物質、例えば、空気清浄剤、脱臭剤、殺虫剤、殺菌剤、充血除去剤、香水その他を供給するために用いられる。エアロゾル容器のための自動バルブ作動システムは、その中身を人の介在なしに、例えば、所定の時間スケジュールに従って放出することを可能にする。多様な揮発性物質は、各々、特定のバルブ形状で最適に供給することができる。一つあるいは複数の可変形状のフローアダプタを含む標準の電磁弁が提供され、各アダプタはその標準の電磁弁の端に取り付けられるように適合化されている。各アダプタは、その中に可変形状の散布機挿入部を挿入できるように適合化された環状の通路を規定するポスト及び樽構造を含む。可変形状の散布機挿入部は、多様な流体および用途に対して安価に製造することができ、標準の電磁弁、および各々の多様な流体を最適に供給するのに適した可変形状のフローアダプタと共に使用することができる。
【００３６】
当業者においては上述の説明から本発明に対する様々な変更が明らかであろう。従って、ここでの説明はもっぱら解説のためであり、当業者が本発明を製造および使用することができるようにするため、および本発明を実施するための最良の形態を教示する目的で提示されたことを理解されるべきである。添付のクレーム内に入る全ての変更に対する排他的権利が保持される。
【図１】
0005478636.tif 000002
【図２】
0005478636.tif 000003
【図３】
0005478636.tif 000004
【図４】
0005478636.tif 000005
【図５】
0005478636.tif 000006
【図６】
0005478636.tif 000007
【図７】
0005478636.tif 000008
【図８】
0005478636.tif 000009
【図９】
0005478636.tif 000010
【図１０】
0005478636.tif 000011
【図１１Ａ】
0005478636.tif 000012
【図１１Ｂ】
0005478636.tif 000013
【図１１Ｃ】
0005478636.tif 000014
【図１１Ｄ】
0005478636.tif 000015
【図１１Ｅ】
0005478636.tif 000016
【図１１Ｆ】
0005478636.tif 000017
【図１２】
0005478636.tif 000018
【図１３Ａ】
0005478636.tif 000019
【図１３Ｂ】
0005478636.tif 000020
【図１３Ｃ】
0005478636.tif 000021
【図１３Ｄ】
0005478636.tif 000022
【図１３Ｅ】
0005478636.tif 000023
【図１３Ｆ】
0005478636.tif 000024
【図１３Ｇ】
0005478636.tif 000025